(57)【要約】【課題】  この発明は、閉栓の作業がスピーディーに行えて、気泡が入り込みにくいようなスノードームの提供を課題とする。【解決手段】  ドーム１の底１０の、栓２で密閉するための口１２の周りに、底１０の外側に向かうようにして第１の壁１１を設ける。さらに第１の壁１１の回りに、第１の壁１１よりも高さの高い第２の壁１３を設ける。口１２からドーム１内に水３を注入する際に、水３が第１の壁１１から溢れて第２の壁１３内に達するまで行うようにする。これにより栓２をする際には、最初に栓２が第２の壁１３内の水３０に触れる。従って栓２に気泡が付着していない状態で、第１の壁１１の口１２に栓２をすることが出来る。【選択図】図１
2020185349.tif 000002
【特許請求の範囲】
【請求項１】
ドームと、該ドームに設けられた液体注入用の口と、該口を閉じて前記ドームを密閉するための栓とを備え、前記口は口の外側を取り囲む第１の壁を有すると共に、この第１の壁の外側を取り囲む第２の壁を有し、この第２の壁は前記第１の壁と同じ高さか前記第１の壁よりも高く設けられていることを特徴とする、スノードーム。
【請求項２】
前記ドームが底部を有してこの底部に前記口と前記第１の壁とが設けられており、前記底部の外周部に前記第２の壁が設けられている、請求項１に記載のスノードーム。
平らな底部も
【請求項３】
前記ドームの前記口の内側に、前記ドームの内壁面から前記口に掛けて傾斜部が設けられている、請求項１に記載のスノードーム。
【発明の詳細な説明】
【技術分野】
【０００１】  本発明はスノードームの組み立てに於いて、ドームを密閉するに際し、ドームを満たす液体中に空気が入り込み難いようにした、スノードームに関する。
【背景技術】
【０００２】  スノードーム（スノーグローブとも呼ぶ）は１９世紀のヨーロッパを発祥として米国で一般化した。スノードームの構造は、主にガラス製の透明な容器をドーム状や球状に形成して、内部に風景などのミニチュアを配し雪に見立てた粉末を納めた後に、スノードームの底部に設けた注入口からグリセリンや水などの透明な液体を注入して満たし、注入口に栓をしたものである。このように構成されたスノードームを手に持って逆さまにしたりすることで、風景に雪を降らせて遊ぶことが出来る。このミニチュアとしてはエッフェル塔や摩天楼などのご当地の風物が用いられるため、土産物としての需要が多い。【０００３】  実用新案登録第３１７１３２４号のスノードーム型カレンダー（１）の考案は、上部を半球形に形成したドーム型の透明容器（２）に透明な液体（３）を充填し、液体（３）の内部に微小な装飾片（４）を多数収容すると共に、透明容器（２）の底部（２ａ）に設けた開口部（８）から上方へ向けて、透明容器（２）内の液体（３）から隔絶された状態で所定幅のスリット（５）を形成する枠部材（５ａ）を設け、スリット（５）にカレンダー等の表示片（６）を交換可能に挿入すると共に、透明容器（２）の底部（２ａ）を受ける受台（７）によってスリット（５）の開口部（８）を閉じるようにした。なお透明容器（２）への液体（３）の充填は底部（２ａ）に設けた注入口（９）から行われ、充填した後の透明容器（２）の密閉は注入口（９）を栓部材（１０）で閉じることで行われる。
【先行技術文献】
【特許文献】
【０００４】
【特許文献１】実用新案登録第３１７１３２４号公報（図４）
【発明の概要】
【発明が解決しようとする課題】
【０００５】  確かに実用新案登録第３１７１３２４号のスノードーム型カレンダーは良く設計されている。しかしながら欠点もある。上述したように透明容器（２）への液体（３）の充填は底部（２ａ）に設けた注入口（９）から行われ、また充填した後の透明容器（２）の密閉は注入口（９）を栓部材（１０）で閉じることで行われる。ところがこの注入口（９）と栓部材（１０）との構成によれば慎重に作業しても注入口（９）に栓部材（１０）を嵌め合わせる段階で透明容器（２）の液体（３）の中に気泡が紛れ込むことが多い。泡が入っていると、スノードームを手に持って逆さまにしたりする時に、どうしても泡が気になってしまうし、製品としての完成度も問われてしまう。【０００６】  そこで当発明者は閉栓の作業が楽にスピーディーに行えて、気泡が入り込みにくくなるような構成手段はないものかと思考した。すなわちこの発明は気泡が入り込みにくいようなスノードームの提供を課題とするものである。
【課題を解決するための手段】
【０００７】  このため本発明では、ドームと、該ドームに設けられた液体注入用の口と、該口を閉じて前記ドームを密閉するための栓とを備え、前記口は口の外側を取り囲む第１の壁を有すると共に、この第１の壁の外側を取り囲む第２の壁を有し、この第２の壁は前記第１の壁と同じ高さか前記第１の壁よりも高く設けられていることを特徴とする、スノードームとした。【０００８】  本発明によれば、液体注入用の口がその外側を取り囲む第１の壁と更にその外側を取り囲む第２の壁とを有すると共に、第２の壁が第１の壁と同じ高さでまたは第２の壁が第１の壁よりも高く設けらており、液体注入用の口を閉じる栓は第１の壁に囲まれた口に栓をするように構成されている。そこでこの口からドームの中に液体を注入する時に、液体を第１の壁から溢れ出させて第２の壁の中に入れ、第１の壁が液体に沈むようにするのである。このことが可能なのは第１の壁の外側を取り囲む第２の壁があることによる。【０００９】  第２の壁が第１の壁と同じ高さに設けられている場合では、第２の壁の高さいっぱいに液体を入れると、液体はその表面張力で盛り上がるので、第１の壁は液体の中に沈むようになる。第２の壁が第１の壁よりも高く設けらている場合では、第１の壁が沈むようにして第２の壁の中に液体を入れることが出来る。その何れの場合であっても第１の壁が液体の中に沈むようになる。従って第１の壁に囲まれた液体注入用の口に栓をする時に、この栓は第２の壁の液体の中に入ってから液体注入用の口を閉じるようになる。この栓が液体注入用の口に到達する前に第２の壁の中の液体に入り込むようになる。すなわち従来のように栓がいきなり液体注入用の口を閉じる場合ではこの栓が空気や気泡を捲き込みやすいのであるが、これに対して本発明によれば、この栓が空気や気泡を捲き込んで液体注入用の口を閉じるようなことは極めて起こりづらいものとなっている。【００１０】  なお本発明の実施に際しては、好適には第２の壁を第１の壁よりも高く設けるようにする。このようにすればこの栓にまつわる空気の影響を、第２の壁の中の液中で十分に除外することが可能になり、作業に余裕が生まれる。【００１１】  さて、前記ドームが底部を有して、この底部に前記口と前記第１の壁とが設けられており、前記底部の外周部に前記第２の壁が設けられているものとしても良い。上述した第１の壁と第２の壁とで二重に囲われた液体注入用の口は、ドームのどの位置に設けても良い分けである。しかしながら内部に風景などのミニチュアが配されていてこれを鑑賞するものであったり、スノードームを手に持って逆さまにしたりすることで、風景に雪を降らせて遊ぶものであったりすることから、上記の栓は目立たないように設けられていることが好ましい。そこでドームに底部を設定してここに液体注入用の口を設けるのである。【００１２】  また本発明の原理上は、第２の壁は第１の壁の近くになくてはならないと言うものではないから、底部の外周部に第２の壁を設けるようにしても良い。更に平らな底部と言うものを設定することが可能である。すなわちこの平らな底部の外周部に第２の壁を設けるようにするのである。【００１３】  次に、前記ドームの前記口の内側に、前記ドームの内壁���から前記口に掛けて傾斜部が設けられているものとしても良い。液体注入用の口からドームの中に液体を注入するわけであるが、この際に注入する液体と交換する形でドーム内の空気を円滑に口から出すようにすることが重要である。傾斜部にはこの時の空気の出を促進する作用がある。【００１４】  なお上述した動的に雪を降らせることを楽しむいわゆるスノードームでなくとも本発明を適用することが可能である。例えば水中花を液体中に配した静的なるドームや、比重が異なる幾種類かの色水を封入して、ドームを傾けることで色水が混ざり合うものの、静かに放置しておくことで色の層に分かれるような動的なドームや、水圧を変化させ得る機構を備え、水圧の脈動的な変化により模型の魚の鰭を動作させて、魚が恰も自然に泳いでいるかのように見せる水槽など、任意のドームに適用することが可能である。またこれ等のドームに照明器具を組み合わせたりすることなども、任意設計事項である。すなわちこれ等は本発明の権利範囲内にある。
【発明の効果】
【００１５】  以上本発明は、ドームに設けられた液体注入用の口と、該口を閉じて前記ドームを密閉するための栓とを備え、前記口は口の外側を取り囲む第１の壁を有すると共にこの第１の壁の外側を取り囲む第２の壁を有し、この第２の壁は前記第１の壁と同じ高さか前記第１の壁よりも高く設けられているドームとし、液体注入用の口からドームの中に液体を注入する時に、液体を第１の壁から第２の壁の中に溢れ出させて、第１の壁が液体に沈むようにした。この構成により、液体注入用の口に栓をする時に、栓が液体注入用の口に到達する前に第２の壁の中の液体に浸かるようになるため、この栓が空気や気泡を捲き込み液体注入用の口を閉じるような問題が、極めて起こりづらいと言う効果を奏する。
【図面の簡単な説明】
【００１６】
【図１】  実施例１を断面図で表した説明図である。
【図２】  同実施例の使用状態を表した説明図である。
【図３】  実施例２の使用状態を表した説明図である。
【図４】  実施例３の使用状態を表した説明図である。
【図５】  実施例４の使用状態を表した説明図である。
【図６】  実施例５の使用状態を表した説明図である。
【発明を実施するための形態】
【００１７】  以下では本発明の実施例５種を図面に基づいて説明するが、本発明はこれ等に限定されるものではなく、本発明の思想の範囲内で工夫される種々変形例もまた本発明の権利範囲に含まれるものである。
【実施例１】
【００１８】  図１及び図２で本実施例のスノ―ドームを表す。透明な合成樹脂製のドーム１は底１０を有する。この底１０には栓２で密閉することが出来る口１２が設けられている。この口１２の周りには底１０の外側に向かって第１の壁１１が設けられている。また口１２に栓２をする際に栓２の邪魔にならないようにして、第１の壁１１の回りに第１の壁１１よりも高さの高い第２の壁１３が底１０の外側に向かうように設けられている。この第２の壁１３の内側は口１４となっている。なお図１ではドーム１の中身は空気である。【００１９】  本実施例の使用法であるが、図２のように底１０を上にして口１２からドーム１内に水３を注入する。この際にはドーム１内に空気や気泡を残さないようにすることが肝心である。この水３の注入は、水３が第１の壁１１から溢れて第２の壁１３内に達するまで行う点が従来と大きく異なる点である。この時までにドーム１内にも第２の壁１３内にも気泡が残らないようにする。図中で符号３０は第２の壁１３内の水を指している。次は栓２の出番である。【００２０】  そこで栓２を口１２に近づけて行くと、栓２は最初に第２の壁１３内の水３０に触れるが、この時に栓２を操って栓２の先に気泡が残っていないようにするのが肝心であるが、これが出来るのは本発明ならではである。このようにしてドーム１内に気泡が残らずまた栓２にも気泡が付着していない状態で、栓２を進めて第１の壁１１の口１２に栓２をするのである。なお第１の壁１１と第２の壁１３の高さを同じにする構成が可能であることは上述した通りである。
【実施例２】
【００２１】  図３の本実施例のスノードームが実施例１のスノードームと異なる点は、本実施例では実施例１の第２の壁１３の代わりを第２の壁４３に担わせている点である。透明な合成樹脂製のドーム４は底４０を有する。この底４０には栓２０で密閉することが出来る口４２が設けられている。この口４２の周りには底４０の外側に向かって第１の壁４１が設けられている。また第１の壁４１よりも高さの高い第２の壁４３が、ドーム４の延設部分として底４０の外側に向かうように設けられている。従って第２の壁４３は第１の壁４１よりも外側に在ることになる。この第２の壁４３の内側は口４４となっている。【００２２】  本実施例の使用法であるが、図３のように底４０を上にして口４２からドーム４内に水３１を注入する。この際にはドーム４内に空気や気泡を残さないようにすることが肝心である。この水３１の注入は、水３１が第１の壁４１から溢れて第２の壁４３内に達するまで行う点が従来と大きく異なる点である。この時までにドーム４内にも第２の壁４３内にも気泡が残らないようにする。図中で符号３２は第２の壁４３内の水を指している。次は栓２０を行う段取りである。【００２３】  その栓２０を口４２に近づけて行くと、栓２０は最初に第２の壁４３内の水３２に触れるが、この時に栓２０を操って栓２０の先に気泡が残っていないようにするのが肝心であるが、これが出来るのは本発明ならではである。このようにしてドーム４内に気泡が残らず、栓２０にも気泡が付着していない状態で、栓２０を進めて第１の壁４１の口４２に栓２０をするのである。なお第１の壁４１と第２の壁４３の高さを同じにする構成が可能であることは上述した通りである。
【実施例３】
【００２４】  図４の本実施例のスノードームが実施例２のスノードームと異なる点は、本実施例では実施例２の第１の壁４１に相当する第１の壁４７が底４６に開けられた口４８の断面そのものである点である。またドーム４５内にはグリセリン３３が満たされる。【００２５】  図４中で符号４９は第２の壁を指す。透明な合成樹脂製のドーム４５は底４６を有し、この底４６には栓２１で密閉することが出来る口が設けられているが、この口の断面が壁４７である。この第１の壁４７である口よりも高い位置に第２の壁４９が、ドーム４５の延設部分として底４６の外側に向かうように設けられている。従って第２の壁４９は上記第１の壁４７よりも外側に在ることになる。【００２６】  本実施例の使用法であるが、図４のように底４６を上にして口４８からドーム４５内にグリセリン３３を注入する。この際にはドーム４５内に空気や気泡を残さないようにすることが肝心である。グリセリン３３の注入は、グリセリン３３が第１の壁４７から溢れて第２の壁４９内に達するまで行う点が従来と大きく異なる点である。この時までにドーム４５内にも第２の壁４９内にも気泡が残らないようにする。図中符号３４は第２の壁４９内すなわち口４００内のグリセリンを指している。【００２７】  その栓２１を口４８に近づけて行くと、栓２１は先ず第２の壁４９内のグリセリン３４に触れるが、この時に栓２１を操って栓２１の先に気泡が残っていないようにすることが肝心であるが、これが出来るのは本発明ならではである。このようにしてドーム４５内に気泡が残らず、栓２１にも気泡が付着していない状態で、栓２１を進めて第１の壁４７の口４８に栓２１をするのである。
【実施例４】
【００２８】  本実施例はその構成の殆どを上述した実施例１に倣うものであるが、ドーム１の底１０の内側の於いて第１の壁１１の接続部分の、口１２に面する角に傾斜部１５が形成されている点に特徴を有する。【００２９】  この構成によれば、底１０を上にして口１２からドーム１内に水３を注入するに当り、ドーム１内に空気や気泡を残さないようにすることが肝心であるが、口１２に傾斜部１５が形成されていることによって、この部位での空気や気泡が口１２から出易くなると言う作用効果が追加される。
【実施例５】
【００３０】  本実施例はその構成の殆どを上述した実施例２に倣うものであるが、ドーム４の底４０の内側の於いて第１の壁４１の口４２に向けて肉薄となるように、傾斜部４０１が形成されている点に特徴を有する。【００３１】  この構成によれば、底４０を上にして口４２からドーム４内に水３１を注入するに当って、底４０の内側の前面が口４２に向かう傾斜部４０１となっていることにより、空気や気泡が口４２から出易くなる、すなわちドーム４内に空気や気泡を残さないようにすると言う作用効果がより向上することになる。
【産業上の利用可能性】
【００３２】  従来はともすれば気泡が入りやすいスノードームであったが、本発明では液体注入用の口の外側を取り囲む第１の壁と、さらにその外側を取り囲む第２の壁とを有し、第２の壁の内側まで液体を注入した時に第１の壁が液体に沈むようにしたため、液体注入用の口に栓をする時に、栓が液体注入用の口に到達する前に第２の壁の中の液体に浸かるようになり、この栓が空気や気泡を捲き込み液体注入用の口を閉じるような問題が、極めて起こり難いものとなっている。これは恰もスノードームの全体を液没（液体が水であれば水没）させて、ドーム内に液体を入れて液体注入用の口に栓をする、と言う作業を行っているに等しいと言うことが出来る。すなわち本発明には産業上の利用可能性があると共に十分な価値が認められる。
【符号の説明】
【００３３】  １    ドーム            １０  底                １１  第１の壁
１２  口                １３  第２の壁          １４  口
１５  傾斜部
２    栓                ２０  栓                ２１  栓
３    水                ３０  水                ３１  水
３２  水                ３３  グリセリン        ３４  グリセリン
４    ドーム            ４０  底                ４１  第１の壁
４２  口                ４３  第２の壁          ４４  口
４５  ドーム            ４６  底                ４７  第１の壁
４８  口                ４９  第２の壁          ４００  口
４０１  傾斜部
【図１】
2020185349.tif 000003
【図２】
2020185349.tif 000004
【図３】
2020185349.tif 000005
【図４】
2020185349.tif 000006
【図５】
2020185349.tif 000007
【図６】
2020185349.tif 000008